(57)【特許請求の範囲】
【請求項１】
連続するＮ個（Ｎは自然数）のフィールド分の映像信号に対し、Ｎで割り切れないＭ個（Ｍは自然数）のサンプル数を有する音声信号が記録された記録媒体から上記音声信号を再生する再生装置であって、
任意のフィールドに対して２回以上再生する変速再生を行う変速再生モードを有する再生手段と、
上記変速再生モード時に、同じフィールドに対する２回以上の再生により得られた音声信号のうち、１回目の再生によるサンプルは全て出力し、２回目以降の再生によるサンプルについては、少なくとも１つのサンプルを出力せず、残りのサンプルのみを出力することにより、上記Ｎ個のフィールドのサンプル数の合計を上記Ｍ個以下とする信号処理を施す信号処理手段と
を備えることを特徴とする声信号の再生装置。
【請求項２】
連続するＮ個（Ｎは自然数）のフィールド分の映像信号に対し、Ｎで割り切れないＭ個（Ｍは自然数）のサンプル数を有する音声信号が記録された記録媒体から上記音声信号を再生する再生装置であって、
任意のフィールドに対して２回以上再生する変速再生を行う変速再生モードを有する再生手段と、
上記変速再生モード時に、同じフィールドに対する２回以上の再生により得られた音声信号のうち、１回目の再生によるサンプルは全て出力し、２回目以降の再生によるサンプルについては、少なくとも１つのサンプルを出力せず、残りのサンプルのみを出力するか、又は、１回目の再生によるサンプルは全て出力し、１回目と同じサンプルを出力ことにより、上記Ｎ個のフィールドのサンプル数の合計を上記Ｍ個以下とする信号処理を施す信号処理手段と
を備えることを特徴とする声信号の再生装置。
【請求項３】
上記信号処理手段は、上記音声信号を一時的に記憶する記憶手段を有し、上記記憶手段からの上記音声信号の読み出しを制御することで、出力するサンプル数を制御することを特徴とする請求項１又は請求項２に記載の音声信号の再生装置。
【請求項４】
上記Ｎフィールドのシーケンスでシャフリングされた音声信号が記録された記録媒体から音声信号を再生する再生装置であって、
上記信号処理装置は、上記音声信号をデシャフリングするデシャフリング手段を有し、
上記記憶手段は、上記デシャフリング手段における記憶手段であることを特徴とする請求項３記載の音声信号の再生装置。
【請求項５】
上記信号処理手段は、上記Ｎフィールド毎に、上記記憶手段から読み出された音声信号の総サンプル数を検出し、上記Ｍ個未満時にエラーフラグを出力するエラーフラグ出力手段を有することを特徴とする請求項４記載の音声信号の再生装置。
【請求項６】
上記エラーフラグに応じて、上記記憶手段から読み出された音声信号に対し、上記Ｍ個に満たない分のサンプルを補間することにより得るコンシール手段をさらに備えることを特徴とする請求項５記載の音生信号の再生装置。
【請求項７】
上記再生手段は、テープ状記録媒体を再生するダイナミックトラッキングヘッドを上記テープ状記録媒体のトラックに対して垂直な方向に移動制御するとともに、制御状態を示すジャンプ信号を出力するサーボ手段を備え、
上記信号処理手段は、上記ジャンプ信号に応じて、上記記憶手段から読み出す音声信号のサンプル数を制御することを特徴とする請求項６記載の音声信号の再生装置。
【発明の詳細な説明】
技術分野
本発明は、連続するＮ個（Ｎは自然数）のフィールド分の映像信号に対し、Ｎで割り切れないＭ個（Ｍは自然数）のサンプル数を有する音声信号が記録された記録媒体から上記音声信号を再生する再生装置に関し、例えば、コンポジットディジタル（Ｄ−２規格）ビデオテープレコーダ（VTR）などに適用される。
背景技術
従来、ディジタルVTRでは、ビデオ信号とオーディオ信号をそれぞれディジタルデータに変換し、得られたディジタルビデオデータ及びディジタルオーディオデータを回転ヘッドによって磁気テープの傾斜トラックに記録するようにしている。
例えばＤ−２規格のディジタルVTRでは、第１図に示すように、タイムコードが記録されるタイムコードトラックTRTC、サーボ・リファレンスを与えるコントロール信号が記録されるコントロールトラックTRCTL及び編集用のキュー・オーディオ信号が記録されるキュー・オーディオトラックTRCUAの３つの長手方向トラックと、ディジタル映像信号及びディジタル音声信号が記録されるプログラムトラックと呼ばれる傾斜トラックTRPRGとが規定されている。また、１本の傾斜トラックTRPRGは、その中央のビデオセクタVSとその前部及び後部のオーディオ信号セクタAS1,AS2とから構成される。
そして、Ｄ−２規格のディジタルVTRでは、180゜の角度割をもって回転ドラムに設けられた２対の記録用回転磁気ヘッドによって、３セグメント６トラックで１フィールドのディジタル映像信号をディジタル音声信号とともに記録し、また、このように磁気テームに記録されたディジタル映像信号及びディジタル音声信号を、180゜の角度割をもって回転ドラムに設けられた２対の再生用回転磁気ヘッドによって再生する。
また、一般に、磁気テープ上の傾斜トラックを介して映像信号の記録再生を行う所謂ヘリカルスキャン型のビデオテープレコーダでは、再生用回転磁気ヘッドが傾斜トラックを正確に走査する必要があり、変速再生等の際に、例えばバイモルフなどの電気・機械変換素子を用いたヘッド変移装置により磁気テープ上の傾斜トラックを横切る方向に再生用回転磁気ヘッドを変移させるダイナミックトラッキング制御が行われている。なお、このようにヘッド変移装置により変移される再生用回転磁気ヘッドは、ダイナミックトラッキングヘッド（DTヘッド）と呼ばれている。
ここで、上記Ｄ−２規格のディジタルVTRでは、１フィールドのヘリカルトラック数及びオーディオチャンネル数及びセクタ数により、５フィールドで4004サンプルとなるように各傾斜トラックのオーディオセクタにサンプル数が割り当てられるようになされている。
すなわち、上記ディジタルVTRにおいては、オーディオ信号のサンプリング周波数が48kHzとされており、このため、例えばNTSC方式（525/60システム）の場合、ビデオ信号の１フィールドに対応して記録できるサンプル数が800.8サンプルとなり、１フィールド内のオーディオデータのサンプル数が整数とならず数フィールドで整数（５フィールドで4004サンプル）となる。このため実際には、１フィールド内のオーディオセクタに割り当てるサンプル数を800,801,801,801,801,800,801,・・・となるようにし、ビデオ信号の５フィールドでの4004サンプルをオーディオデータの記録単位とするようにしている。なお、AUXデータも含んだ場合には、１フィールド分のデータは、810サンプルとなる。
このようなことから、オーディオデータの再生の際には、上記５フィールド内の各オーディオセクタに割り当てられているサンプル数を示す情報と、５フィールドのデータの完結を示す記録シーケンス情報とが必要となる。
上記ディジタルVTRでは、これら情報のうちの上記記録シーケンス情報を５フィールドのうちの１フィールドのヘリカルトラックのデータ中に記録し、再生の際にこの記録シーケンス情報を５フィールドに１回のパルスとして検出できるようになされている。
そして、上記NTSC方式が適用されるディジタルVTRの場合には、上述したように５フィールドシーケンスを保つために、4004サンプルで自走するカウンタを持っている。
このディジタルVTRにおいて、例えば、任意のフィールドを２回以上再生する変速再生時すなわち例えば×１倍速未満の変速再生時に、例えば上記801サンプルのトラックが５回トレースされたような場合には、５フィールド分のサンプル数の合計が4005サンプルとなり、したがって上記５フィールドシーケンスを保つためには、当該５フィールドシーケンスから最後の１サンプルが削除されることになる。ここで、もしも、この最後の１サンプルがオーディオ信号の変速再生時に必要な重要な情報であった場合には、当該×１倍速未満の変速再生による再生音に重大な影響を与えるようになる。
なお、上述の欠点はNTSC方式の場合であり、PAL方式の場合には１フィールドのサンプル数はAUXデータも含めて972サンプル（ワード）であり、有効サンプル数は960サンプルの１種類となって、変速再生時の上記５フィールドシーケンスでもサンプル数は一定となるため問題ない。
そこで、本発明は、上述のような従来の実情に鑑み、変速再生機能を備えるディジタルVTRにおいて、×１倍速未満の変速再生時に欠陥なく再生音を得ることができるようことを目的とするものである。
発明の開示
本発明は、連続するＮ個（Ｎは自然数）のフィールド分の映像信号に対し、Ｎで割り切れないＭ個（Ｍは自然数）のサンプル数を有する音声信号が記録された記録媒体から上記音声信号を再生する再生装置であって、任意のフィールドに対して２回以上再生する変速再生を行う変速再生モードを有する再生手段と、上記変速再生モード時に、同じフィールドに対する２回以上の再生により得られた音声信号のうち、１回目の再生によるサンプルは全て出力し、２回目以降の再生によるサンプルについては、少なくとも１つのサンプルを出力せず、残りのサンプルのみを出力することにより、上記Ｎ個のフィールドのサンプル数の合計を上記Ｍ個以下とする信号処理を施す信号処理手段とを備えることを特徴とする。
また、本発明は、連続するＮ個（Ｎは自然数）のフィールド分の映像信号に対し、Ｎで割り切れないＭ個（Ｍは自然数）のサンプル数を有する音声信号が記録された記録媒体から上記音声信号を再生する再生装置であって、任意のフィールドに対して２回以上再生する変速再生を行う変速再生モードを有する再生手段と、上記変速再生モード時に、同じフィールドに対する２回以上の再生により得られた音声信号のうち、１回目の再生によるサンプルは全て出力し、２回目以降の再生によるサンプルについては、少なくとも１つのサンプルを出力せず、残りのサンプルのみを出力するか、又は、１回目の再生によるサンプルは全て出力し、１回目と同じサンプルを出力ことにより、上記Ｎ個のフィールドのサンプル数の合計を上記Ｍ個以下とする信号処理を施す信号処理手段とを備えることを特徴とする。
本発明に係る音声信号の再生装置において、上記信号処理手段は、上記音声信号を一時的に記憶する記憶手段を有し、上記記憶手段からの上記音声信号の読み出しを制御することで、出力するサンプル数を制御するものとすることができる。
本発明に係る音声信号の再生装置において、上記Ｎフィールドのシーケンスでシャフリングされた音声信号が記録された記録媒体から音声信号を再生する再生装置では、上記信号処理装置は、上記音声信号をデシャフリングするデシャフリング手段を有し、上記記憶手段は、上記デシャフリング手段における記憶手段であるものとすることができる。
また、本発明に係る音声信号の再生装置において、上記信号処理手段は、上記Ｎフィールド毎に、上記記憶手段から読み出された音声信号の総サンプル数を検出し、上記Ｍ個未満時にエラーフラグを出力するエラーフラグ出力手段を有するものとすることができる。
また、本発明に係る音声信号の再生装置は、上記エラーフラグに応じて、上記記憶手段から読み出された音声信号に対し、上記Ｍ個に満たない分のサンプルを補間することにより得るコンシール手段をさらに備えるものとすることができる。
また、本発明に係る音声信号の再生装置において、上記再生手段は、テープ状記録媒体を再生するダイナミックトラッキングヘッドを上記テープ状記録媒体のトラックに対して垂直な方向に移動制御するとともに、制御状態を示すジャンプ信号を出力するサーボ手段を備え、上記信号処理手段は、上記ジャンプ信号に応じて、上記記憶手段から読み出す音声信号のサンプル数を制御するものとすることができる。
【図面の簡単な説明】
第１図は、D2−規格のディジタルVTRのトラックフォーマットを示す図である。
第２図は、本発明を適用したディジタルVTRの再生系の構成を示すブロック回路図である。
第３図は、上記再生系における第１のオーディオ処理部の具体的な構成例を示すブロック回路図である。
第４図は、上記第１のオーディオ処理部においてオーディオデータをメモリに貯えるタイミングを示すタイミングチャートである。
第５図は、ECCブロックにおけるオーディオデータの配列状態を示す図である。
第６図は、上記第１のオーディオ処理部におけるシャフリングブロックの具体的な構成を示すブロック回路図である。
第７図は、本発明を適用したディジタルVTRの再生系の動作を示すタイミングチャートである。
第８図は、本発明を適用したディジタルVTRの再生系の変速再生モードにおけるエラーフラグ発生の様子を説明するためのタイミングチャートである。
発明を実施するための最良の形態
以下、本発明に係る音声信号の再生装置の実施例について、図面を参照して詳細に説明する。
本発明に係る音声信号の再生装置は、例えば第２図に示すように構成される。
この実施例の再生装置は、１フィールド内の有効サンプル数が800,801サンプル（ワード）の２種類ありかつ連続する５フィールドで4004サンプルとなるオーディオ信号が傾斜トラックに記録されたビデオテープ１からオーディオ信号を再生するNTSC方式に対応可能なディジタルVTRの再生系に本発明を適用したもので、上記ビデオテープ１の傾斜トラックから再生RF信号を生成する再生部２、この再生部２から再生RF信号が供給される再生RF信号処理部３、この再生RF信号処理部３からRFデータが供給されるビデオデータ処理処理系10及びオーディオ処理処理系20などを備えてなる。
上記再生部２は、上記ビデオテープ１の傾斜トラックを走査するダイナミックトラッキングヘッド2Aを備え、任意のフィールドに対して２回以上再生する変速再生を行う変速再生モードを有する。この再生部２は、上記ダイナミックトラッキングヘッド2Aやテープ走行系のキャプスタンなどがサーボ部４によって制御されるようになっている。そして、この再生部２は、上記ビデオテープ１の傾斜トラックを上記ダイナミックトラッキングヘッド2Aにより走査することによって得られる再生RF信号を上記再生RF信号処理部３に供給する。
また、上記再生RF信号処理部３は、上記再生部２により得られた再生RF信号を２値化して、内符号によるエラー訂正処理を施したRFデータをビデオデータ処理処理系10及びオーディオ処理処理系20に供給するとともに、上記RFデータからトラック判別（ID）データを分離して上記サーボ部４に供給するようになっている。
上記サーボ部４は、上記再生部２のダイナミックトラッキングヘッド2Aを上記ビデオテープ１の傾斜トラックに対して垂直な方向すなわちトラック幅方向に移動制御することによりトラッキング制御を行う。変速再生モード時には、上記トラック判別（ID）データに基づいて、上記ダイナミックトラッキングヘッド2Aのトラッキンクジャンプ制御を行い、同じフィールドを２回以上繰り返し再生する場合に、２回目以降のフィールドを示すジャンプ信号DTJMPを上記オーディオ処理系20の第１のオーディオ処理部21に供給するようになっている。
なお、上記サーボ部４などの動作モードは、図示しないシステムコントローラにより与えられる速度データにより自動的の切り換えれるようになっている。
また、上記ビデオ処理系10では、上記再生RF信号処理部３から供給されるRFデータについて、上記第１のビデオ処理部11において、上記RFデータからビデオデータを集めて整理し、そのビデオデータにエラー訂正処理やデシャッフリング処理、エラー修正処理などを施し、さらに、第２のビデオ処理部12により記録系における圧縮処理例えば離散コサイン変換に対応する離散コサイン逆変換など伸張処理を施すようになっている。
さらに、上記オーディオ処理系20では、上記再生RF信号処理部３から供給されるRFデータについて、上記第１のオーディオ処理部21において、上記RFデータからオーディオデータを集めて整理し、そのオーディオデータにエラー訂正処理やデシャッフリング処理、エラー修正処理などを施し、第２のオーディオ処理部22においてラグランジェの補間処理などにより再生速度に応じた補間処理を施してから、第３のオーディオ処理部23によりオーディオのゲインコントロールを施すようになっている。
ここで、上記第１のオーディオ処理部21の具体的な構成例を第３図に示す。
すなわち、上記第１のオーディオ処理部21は、データ収集回路31、外符号エラー訂正回路32、クロックレート変換回路33、デシャフリング回路34及びデータ修正回路35などを備えてなる。
この第１のオーディオ処理部21において、上記データ収集回路ブロック31では、上記再生RF信号処理部３から供給されるRFデータについて、ビデオデータとオーディオデータが多重化された上記RFデータからオーディオデータを集めて整理する。また、上記外符号エラー訂正回路32では、上記データ収集回路31から供給されるオーディオデータに外符号によるエラー訂正処理を施す。さらに、上記クロックレート変換回路33では、上記エラー訂正処理が施されたオーディオデータのクロックレートをビデオ系のクロックレートからオーディオ系のクロックレートに変換する。
そして、上記デシャフリング回路34では、オーディオ系の基準クロック（FS256＝48kHz×256）に同期してオーディオデータにデシャフリング処理を施す。
ここで、上記デシャフリング回路34では、第４図に示すように、上記外符号エラー訂正回路32におけるエラー・コレクション・コード（ECC）ブロック単位のデータの先頭を表すASYNC信号から10クロック（FS128＝48kHz×128）分だけデータが有効であり、この部分のデータをメモリ33Aに貯える。
但し、この時点では第５図に示すようなECCのデータ並びから第１番目のASYNC信号から発生するデータは順にAUX0,0,AUX4,4,AUX8,PV0,PV1,PV2,PV3,PV4となっている。次のASYNC信号が発生したときのデータはECCのデータ並びでは162バイト進んで、順にAUX3,3,AUX7,AUX2,2,PV0,PV1,PV2,PV3,PV4となる。さらに、その次のASYNC信号が発生したときのデータはAUX6,AUX1,1,AUX5,5,PV0,PV1,PV2,PV3,PV4となり、次に、元のECCブロックに戻って、AUX0,0,AUX4,4,AUX8,PV0,PV1,PV2,PV3,PV4となる。
ここで、PV0〜PV4は、エラー訂正用の外符号であって、上部のデータにとって、もはや必要でなくなっている。データの１つの箱は24ビットの構成となっている。例えば、AUX0は８ビットを１バイトとした３バイト構成で、１つのASYNC信号で伝送されてくるデータは１バイト毎である。従って、AUX0やデータ０が確定するのは、少なくとも７つのASYNC信号が入力され終わってからである。さらに、このデータをデシャフリングして、元のデータに戻すためには、0,1,2,3,4・・・と並べ換える必要があるため、最低２列のECCブロックのデータが入力されなければならばい。ただし、メモリの使用量を減らすためにデシャフリングのスタートをなるべく早く開始するようにする。具体的には32×48KHz後としてある。これにより、デシャフリングブロックでのデータの遅延量も約32×20μsec＝640μsecと非常に少量となっている。
さらに、上記データ修正回路35では、上記デシャフリング回路34によりデシャフリングされたオーディオデータについて、エラーフラグが立っているデータに対しエラー修正処理を施す。
ここで、上記シャフリング回路34では、×１倍速未満の時のデシャフリングのオーバーフローを防ぐために、同一フィールドを２回以上再生することになる×１倍速未満の変速再生時に、上記２回以上の再生のうちの少なくとも１回の再生による有効サンプルについては全て取り出し、残りの回の同一フィールドの再生によるサンプル数については適応的に削除することで、当該変速再生による５フィールドのサンプル数の合計を4004サンプル以下とする信号処理を施すようにしている。
上記シャフリング回路34の具体的な構成例を第６図に示してある。すなわち、このシャフリング回路34は、少なくとも上記フィールドの有効サンプルを記憶可能なメモリ60と、当該メモリ60の読み出しを制御するリードアドレス発生回路63とを有し、上記×１倍速未満の変速再生時に、上記リードアドレス発生回路63が、上記メモリ60に対して上記２回以上の再生のうちの少なくとも１回の再生による有効サンプルを全て取り出す読み出し制御を行い、残りの回の再生に対応するサンプル数については上記メモリ60からの読み出しを適応的に削除するようにしている。
さらに、上記変速再生時のサンプル数制御によって、当該変速再生によるＮ個分（５個分）のフィールドに対応するサンプル数の合計が上記Ｍ個未満（4004サンプル未満）となった場合、すなわち例えば５フィールドシーケンスを満足できなくなった場合には、上記Ｍ個（4004サンプル）に対して不足する分に応じた所定のフラグを出力するようにしている。
第６図に示すシャフリング回路34において、端子41には、上記クロックレート変換回路33からECCブロック単位のデータ（ECC OUT）が供給され、当該データが上記メモリ60に供給される。
そして、このシャフリング回路34では、上記メモリ60の書き込みアドレス或いは読み出しアドレスを制御することによって、上記ECCブロックのデータの並べ換えを行い、デシャフリングするようにしている。すなわち、上記メモリ60に対してデータを書き込む際に、書き込みアドレスをコントロールしてデータをデシャフリングした後に順次読み出すか、或いは、データを順次書き込んでから読み出す際に、読み出しアドレスをコントロールしてデータを並べ換えることで上記デシャフリングを実現している。なお、本実施例では、後者の方式を取ってデシャフリングを行うようにしている。
このため、ライトアドレス発生回路62は、端子42を介して供給されるフィールドの先頭を表すAV−STI信号と、端子43を介して供給される1ECCブロックの先頭を表すASYNC信号と、そのASYNC信号が４チャネル分を１つの塊として表す端子44を介して供給されるACH信号とを用い、上記端子41に供給されるデータ（ECC OUT）に同期して、上記メモリ60に対して、順次、データを格納する書き込みアドレスを発生させる。なお、上記ACH信号は、オーディオ信号が４チャネルとなっているため、上記ASYNC信号の４チャネル分を１つの塊として表すように成されている。
また、リードアドレス発生回路63は、上記メモリ60に対して、上記ECCブロックのデータのデシャフリングを行うための読み出しアドレスを発生する。すなわち、上記NTSC方式では、１フィールド分のデータがAUXデータ等も含めて810ワードとなるので、上記メモリ60内に記憶されている当該810ワードの中から、読み出し時にサンプリング周波数（48kHz）に同期して801或いは800サンプルのデータを並べ換えるような読み出しアドレスを発生する。なお、上記オーディオ信号は、前述したように５フィールドで元に戻るシーケンスを作っているので、実際には800×１＋801×４＝4004サンプルの信号を処理している。また、当該リードアドレス発生回路63において、上記800サンプル用の読み出しアドレスを発生するか、或いは801サンプル用の読み出しアドレスを発生するかについては、端子54を介して供給されるオーディオ信号のフィールドが800サンプルであることを示すFS5F信号に基づいて切り換えている。なお、PAL方式の場合は、１フィールド分のデータが上記AUXデータ等も含めて972ワード（１ワードは24ビット）であり、この中から、読み出し時の、サンプリング周波数に同期して960サンプルのデータを並べ換えるようになる。
また、端子53には、変速再生が順方向か或いは逆方向かを示す回転方向情報が供給され、上記リードアドレス発生回路63は、この回転方向情報に基づいて読み出しアドレスをも発生するようになっている。
上述したようなライトアドレス発生回路62からの書き込みアドレス及びリードアドレス発生回路63からの読み出しアドレスは、マルチプレクサ61を介して上記メモリ60に送られるようになっている。
上記メモリ60からデシャフリングされて読み出されたデータは、端子８を介して出力される。このデシャフリング出力が上述のエラー修正回路35に送られる。
ここで、上記リードアドレス発生回路63における、デシャフリングの開始を示すAV−STO信号は、以下の構成によって形成される。
すなわち、プロセス回路64には、端子45を介する入力データの有効サンプル数が800サンプルであることを示すFS5F信号と、端子46を介する上述の再生部２においてダイナミックトラッキングヘッド2Aが同一トラックをトレースしたかどうかを表すジャンプ信号DTJMPとが供給される。また、このプロセス回路64には、端子47からの入力がPAL方式の信号である旨を示す信号となっていない場合には、端子41からの入力がNTSC方式の信号であると判断する。このプロセス回路64では、上記入力がNTSC方式であると判断し、かつ上記FS5F信号によって有効サンプル数が800サンプルであると判断したならば、次段のサンプルカウンタ66に対して、そのフィールドすなわちAV−STI信号が800サンプルの有効オーディオ信号を持っていることを表すフラグを出力し、それ以外のときにはフィールドが801サンプルの有効オーディオ信号を持っていることを表すフラグを出力する。例えば、上記AV−STI信号が“L"の期間に上記FS5F信号が“H"となった時、そのフィールドすなわちAV−STI信号間が800サンプルの有効オーディオ信号を持っていることを表すフラグを出力し、それ以外のときにはフィールドが801サンプルの有効オーディオ信号を持っていることを表すフラグを出力する。
上記プロセス回路64からの上記800或いは801サンプルである旨を示すフラグは、サンプルカウンタ66に送られる。当該サンプルカウンタ66は、上記プロセス回路64で判別したフィールド内有効サンプル数が800か或いは801サンプルかを示すフラグに基づいて、次回のフィールドに含まれるデータ数を予めセットし、自走カウンタを動作させる。例えば、上記フラグが“H"の時は800個のサンプリングクロックFS（48kHz）をカウントし、“L"の時は801個のサンプリングクロックFSをカウントする。このサンプルカウンタ66で発生した800或いは801サンプルを示すパルスすなわち音の区切りのパルスは、音のフィールドパルスとして次段のANDゲート67の一方の入力端子へ送られる。
また、５フィールドカウンタ68は、オーディオの５フィールドシーケンスを保つため、上記信号AV−STIに基づいて4004サンプルのカウントを常時行っている。この５フィールドカウンタ68から出力される上記4004サンプル毎の区切りを示すFS5P信号は、ANDゲート67の他方の入力端子及びANDゲート65を一方の入力端子に送られる。なお、このFS5P信号は、端子50を介して外部の構成にも出力される。
ここで、上記ANDゲート65の他方の入力端子には、上記サンプルカウンタ66のフィールドの区切りを示すパルスが供給されるようになっている。当該ANDゲート65の出力端子から出力される上記５フィールドカウンタ68からの５フィールドに１回のパルスと上記サンプルカウンタ66からの各フィールド毎のパルスとの論理積出力は、上記サンプルカウンタ66に対するリセット信号として、当該サンプルカウンタ66に送られる。
また、上記ANDゲート67からは、上記サンプルカウンタ66で発生したオーディオのフィールドの区切りを示すパルスと、上記５フィールドカウンタ68からの５フィールドに１回のパルスとの論理積出力が、上記リードアドレス発生回路63に対して800サンプル或いは801サンプルのフィールドに対するデシャフリングの開始を指示するAV−STO信号として送られる。なお、このAV−STO信号は、端子49を介して外部の構成にも送られるようになっている。
上述したように、この実施例におけるシャフリング回路34では、上記4004サンプル毎の区切りを示すFS5P信号を出力し、また、上記AV−STI信号によって同時化され、上記AV−STO信号がデシャフリングの開始パルスとしてリードアドレス発生回路63を制御しており、このAV−STO信号を基準にしてオーディオ信号をデシャフリングしている。すなわち、上記信号AV−STI信号が“L"の期間に上記FS5P信号が“H"となった時には、そのフィールドすなわちAV−STI信号間がが800サンプルの有効オーディオ信号を持っていることを表すため、上記シャフリング回路34は、これに対応するデシャフリングを実行し、それ以外の時には801サンプルに対応するデシャフリングを行う。
ところで、通常再生速度の通常再生モードの場合には、以上の動作で５フィールドシーケンスに破綻は見られないが、これが例えば×１倍速未満の変速再生（いわゆるジョグ再生）モードすなわち同一トラックを２回以上トレースするモードとなると、例えば上記801サンプルのトラックが５回トレースされたような場合には、５フィールド分のサンプル数の合計が4005サンプルとなり、最後の１サンプルを削除して５フィールドケーシンスを保とうとすると、前述したような問題が発生することになる。
このため、この実施例におけるシャフリング回路34では、×１倍速未満の変速再生モードにおいて、同じトラックを２回以上トレースした場合には、第７図及び第８図に示すように、上記ジャンプ信号DTJMPを“H"とすることによって、上記FS5P信号内に新しいフィールドのデータを取り扱っている時にデータの欠落が発生しないようにしている。ここで、デシャフリングされたデータとして必要な有効サンプルデータは常に新しいフィールドのデータのみであるので、２回以上同じトラックをトレースした場合には、不必要となる２回目以降のトレースによるサンプルデータについては、５フィールドシーケンスを保つために、適応的にサンプルを削除するようにしている。
言い換えると、任意のトラックを２回以上トレースする変速再生時に、この任意のトラックに対する２回以上の再生のうちの少なくとも１回の再生による有効サンプルについてはメモリ60から全て取り出すことで、有効サンプルを削除してしまう弊害を防止すると共に、同一トラックに対する残りの回の再生によるサンプル数についてはデシャフリング時の読み出しアドレスを制御することで適応的に制御するようにしている。これによって、変速再生による５フィールドシーケンスでのサンプル数の合計が4004サンプルを越えないようにしている。具体的に言うと、この実施例では、メモリ60の読み出しアドレスを制御することで、第７図に示すように、801サンプルの同一フィールドを２回以上再生した場合に、２回目以降の再生によるフィールドのサンプル数を例えば１サンプル削除する例えば最終サンプルを読み出さないようにしている。
ただし、上述したように、801サンプルのフィールドの２回目以降の再生のときに１サンプル削除すると、５フィールドで4004サンプルを割り込む虞れがあるが、この実施例では、上記適応的なサンプル削除によって、５フィールドシーケンスでデータが不足した場合すなわち4004サンプル未満となった時には、上記コンシールフラグ発生回路69で、エラーフラグを発生し、このエラーフラグに基づいて次段のエラー修正回路35でデータの補充を行うようにしている。
すなわち、上記コンシールフラグ発生回路69では、上記サンプルカウンタ66からのフィールドの区切りを示すパルスと、上記５フィールドカウンタ68からの５フィールドに１回のパルスとに基づいて、上記エラーフラグを発生する。例えば、上記サンプルカウンタ66からのフィールドの区切りを示すパルスに応じた５フィールド分のサンプルエンドが、上記５フィールドカウンタ68からの５フィールドに１回のパルスよりも前に発生した場合には、上記５フィールドシーケンスで4004サンプルよりも不足していると判断して、当該サンプルエンドと５フィールドに１回のパルスとの差に対応するエラーフラグすなわち4004サンプルに対して不足する分に対応するエラーフラグを発生する。このエラーフラグが端子51を介して、上記エラー修正回路35に送られる。なお、このエラーフラグは、通常“L"であり、上記4004サンプルの不足が発生した場合に不足するサンプル数に対応して“H"となる信号である。
そして、上記エラー修正回路35では、上記端子51を介して上記エラーフラグが供給されると、例えば、前置ホールド等によって、上記５フィールドシーケンスの4004サンプルの不足するデータを補間する。
また、上記端子46からのジャンプ信号DTJMPは、一方の入力端子に上記コンシールフラグ発生回路69からの出力が供給されるORゲート70の他方の入力端子に送られるようにもなっている。当該ORゲート70からの出力は、メモリ60に対するライトイネーブル信号WEとして出力され、これにより、上記×１倍速未満の変速再生モードにおいて、同じトラックを２回以上トレースした場合でも上記FS5P信号内に新しいフィールドのデータを取り扱っている時に上記メモリ60内にデータが取り込まれて、データの欠落がないようにしている。
上述したようにすることで、この実施例では、×１倍速以下の変速再生であっても、上記エラー修正回路35からの出力は第７図に示すように５フィールドシーケンスを保つことが可能となる。なお、第７図には、比較のため、従来例で述べた単に4004サンプルを越えたデータを削除する場合の各フィールドのサンプルをも示している。
なお、第８図において、上記AV−TI信号からAV−TO信号までの出力は、サンプリングクロックFSで32個分のディレイを必要としているが、これは入力データを書き込んで、デシャフリングを行うまでの上記メモリ60へのデータの蓄積に必要な時間である。すなわち、メモリ60の書き込み／読み出しの余裕を考え、かつ、メモリ60の容量とシステムの安全性から32×FSというディレイ量としている。
また、本実施例では、NTSC方式の信号処理において、特に、×１倍速未満の変速再生時に、テープに記録された音を全部そのままの形で、AES/EBUに出力できない場合に有効である。すなわち、本実施例では、これらの処理後、オーディオの変速再生処理が、加えられる事を想定しており、もし、そのプロセスが加えられない場合においても、AES/EBU出力をしてシーケンシャルな信号となるように、エラーフラグ処理をしている。
上述したように、本実施例においては、801サンプルが５回連続に来るとき、すなわち、有効サンプルが801サンプルのトラックを５回トレースしたときに、単純に任意のフィールドで１サンプル分削って、５フィールドシーケンスを保つのではなく、そのトラックが前フィールドとの関わりを調べて処理をしているため、再生音に重大な影響を与えることなく良好な再生音を得ることができるようになる。
【図１】
0003603307.tif 000002
【図３】
0003603307.tif 000003
【図２】
0003603307.tif 000004
【図４】
0003603307.tif 000005
【図５】
0003603307.tif 000006
【図６】
0003603307.tif 000007
【図７】
0003603307.tif 000008
【図８】
0003603307.tif 000009